(57)【特許請求の範囲】
【請求項１】
浸出物を抽出するための装置であって、
浸出された抽出物を保持するための容器を備え、これは、容積をそのなかに画定する周壁を有し、前記周壁は、前記容器の開口頂部を画定し、
前記容器の前記開口頂部を貫いて受容されるよう構成されたプランジャを備え、前記プランジャ及び容器は、協働して、浸出された抽出物を収容するための下チャンバと、浸出された抽出物を収容するための上チャンバとを画定し、
前記プランジャは、前記プランジャに結合されたフィルタ・アセンブリを含み、
前記フィルタ・アセンブリは、
第一及び第二円周周囲シールと、
前記フィルタ・アセンブリの垂直表面で、前記第一及び第二円周周囲シールの間に介在するフィルタ要素と
を有し、
前記第一及び第二円周周囲シールは、前記容器の前記周壁と摺動可能かつ封止された接触を形成し、不溶性材料の移動を防止するよう適合され、
前記第一及び第二円周周囲シールのうち少なくとも一つは、
径方向の刻み目がその周辺に形成された環状部材を含む、
装置。
【請求項２】
請求項１の装置において、
前記容器の前記周壁は、前記容器の底部の近くにおける内径が、前記容器の頂部の近くよりも小さく、
前記径方向の刻み目は、前記容器の前記周壁と協働して、前記容器の前記頂部の近くで開いたままであり、前記容器の前記底部の近くで閉じる、
装置。
【請求項３】
請求項１の装置において、
前記環状部材は、断片化された環状払拭シールを画定する、
装置。
【請求項４】
請求項１の装置において、
前記径方向の刻み目は、縁が直線の角状である、
装置。
【請求項５】
請求項１の装置において、
前記径方向の刻み目は、上面から見て、曲がっている、
装置。
【請求項６】
請求項２の装置において、
前記環状部材は、上へ向けて曲がって、前記径方向の刻み目を閉じる、
装置。
【請求項７】
請求項１の装置において、
前記フィルタ・アセンブリは、フィルタ・バスケットを含み、
更に、複数の周辺隆起が、前記フィルタ・バスケットの底部に画定され、不溶性材料から抽出物に流体が移動するのを防止する、
装置。
【請求項８】
請求項１の装置において、
前記フィルタ・アセンブリは、二つの丸い同心状の取り外し可能なバスケットを含む、
装置。
【請求項９】
請求項８の装置において、
二重シールが、前記バスケットのうち下側のものに取り付けられている。
その周辺に前記径方向の刻み目が形成された前記環状部材を含む払拭シールが、前記バスケットのうち上側のものに取り付けられている、
装置。
【請求項１０】
請求項１の装置において、更に、
キャップを備え、
前記キャップは、基部と、前記基部から取り外し可能である上部とを含み、
前記上部を前記基部から取り外すことにより、前記プランジャに取り付けられたハンドルが露出し、
前記基部は、前記容器の前記開口頂部に取り外し可能に取り付けられている、
装置。
【請求項１１】
請求項１０の装置において、
前記基部は、浸出された液体が前記基部を通して自由に流れられ、前記装置の使用者が飲めるよう構成されている、
装置。
【請求項１２】
請求項１０の装置において、
前記基部は、そのなかを貫く細長い導管を画定し、前記プランジャのシャフトを受容する、
装置。
【発明の詳細な説明】
【技術分野】
【０００１】
関連出願の相互参照
本出願は、２０１４年８月７日に出願された米国仮特許出願第６２／０３４，４４１号の優先権の利益を主張する。
【０００２】
本発明は、概して、抽出物を不溶性材料から取り出すことができる装置に関し、より具体的には、コーヒー又は茶からなどの浸出物を抽出するためのプレスに関する。
【背景技術】
【０００３】
抽出プレスの主機能は、コーヒー粉及び茶葉などの嵩張る不溶性材料を、消費を意図した抽出物から確実に分離することである。多くの異なるプレス及びフィルタの設計が実装されてきたが、最適な分離の達成には、まだ改良の余地がある。
【発明の概要】
【発明が解決しようとする課題】
【０００４】
改良された抽出物分離装置を提供して、本技術分野において知られた抽出装置の欠点のいくつかに対処するすることが、本発明の目的である。
【課題を解決するための手段】
【０００５】
本発明の第一実施形態において、浸出された抽出物を、不溶性材料と前記抽出物との混合物から分離するための抽出物分離装置が説明される。このような第一実施形態における前記装置は、プランジャ要素を備え、これは、浸出容器に挿入されるよう適合され、これは、前記混合物を収容し、一つ以上の実質的に垂直な内壁を有し、これは、前記容器の垂直軸に実質的に平行な向きである。前記プランジャ要素は、前記容器のなかで、その前記垂直軸に沿って移動するよう適合されている。第一実施形態にかかる前記プランジャ要素は、前記プランジャ要素を前記浸出容器のなかでその前記垂直軸に沿って移動させるよう適合されているプランジング手段と、第一表面とを備え、これは、前記垂直軸と実質的に交差し、シーリング手段を備え、これは、前記第一表面の一つ以上の縁に位置する。当該シーリング手段は、前記プランジャ要素が前記容器のなかで移動したとき、前記浸出容器の一つ以上の内壁とシーリング係合して、第一チャンバを画定するよう適合され、これは、不溶性材料と抽出物との混合物を収容し、当該第一表面に接している。前記プランジャ要素は、第二表面を更に備え、これは、前記第一表面から延び、第二チャンバを画定する。当該第二表面は、一つ以上の抽出流開口を備える。前記一つ以上の抽出流開口は、当該第一チャンバから当該第二チャンバのなかへ向かう抽出物の流れを可能にするよう適合されている。当該第二表面における当該一つ以上の抽出流開口の少なくとも一部は、ある深さに位置する。当該深さは、前記第一表面から分離され、前記垂直軸に沿って当該第一表面の上方又は下方のいずれかにある。
【図面の簡単な説明】
【０００６】
【図１】本発明にかかるプレスの例示的な実施形態の正面斜視図である。
【図２】本発明にかかるプレスの例示的な実施形態の正面平面図である。
【図３】本発明にかかるプレスの例示的な実施形態のキャップの上面図である。
【図４】本発明にかかるプレスの例示的な実施形態のキャップの底面図である。
【図５】本発明にかかるプレスの例示的な実施形態の垂直断面図である。
【図６】本発明にかかるプレスの例示的な実施形態で使用するためのフィルタ・アセンブリを有するプランジャの上面斜視図を示す。
【図７】本発明にかかるプレスの例示的な実施形態で使用するためのフィルタ・アセンブリを有するプランジャの垂直平面正面図を示す。
【図８】本発明にかかるプレスの例示的な実施形態で使用するためのフィルタ・アセンブリを有するプランジャの垂直平面背面図を示す。
【図９】本発明例示的な実施形態にかかるプレスのフィルタ・アセンブリの底面平面図を示す。
【図１０】本発明にかかるプレスの例示的な実施形態のフィルタ・アセンブリの上面平面図を示す。
【図１１Ａ】本発明にかかるプレスの例示的な実施形態のフィルタ・アセンブリの周辺シールの正面平面図である。
【図１１Ｂ】本発明にかかるプレスの例示的な実施形態のフィルタ・アセンブリの内部フィルタの正面平面図である。
【図１１Ｃ】本発明にかかるプレスの例示的な実施形態のフィルタ・アセンブリの外部フィルタの正面平面図である。
【図１２Ａ】本発明にかかるプレスの例示的な実施形態のフィルタ・アセンブリの周辺シールの斜視図である。
【図１２Ｂ】本発明にかかるプレスの例示的な実施形態のフィルタ・アセンブリの内部フィルタの斜視図である。
【図１２Ｃ】本発明の実施形態にかかるプレスの例示的な実施形態のフィルタ・アセンブリの外部フィルタの斜視図である。
【図１３Ａ】本発明にかかるプレスの例示的な実施形態の上面図である。
【図１３Ｂ】本発明にかかるプレスの例示的な実施形態の側面斜視図である。
【図１３Ｃ】本発明にかかるプレスのキャップ・アセンブリの基部の例示的な実施形態の正面図である。
【図１３Ｄ】本発明にかかるプレスのキャップ・アセンブリの基部の例示的な実施形態の上面平面図である。
【図１３Ｅ】本発明にかかるプレスのキャップ・アセンブリの基部の例示的な実施形態の水平側面図である。
【図１４】本発明にかかるプレスの別の例示的な実施形態の正面斜視図である。
【図１５】本発明にかかるプレスの別の例示的な実施形態の正面平面図である。
【図１６】本発明にかかるプレスの別の例示的な実施形態の垂直断面図である。
【図１７】本発明にかかるプレスで使用するフィルタ・アセンブリの別の例示的な実施形態の斜視図である。
【図１８Ａ】図１７で示した前記フィルタ・アセンブリの正面平面図である。
【図１８Ｂ】図１７で示した前記フィルタ・アセンブリの背面平面図である。
【図１９Ａ】図１７で示した前記フィルタ・アセンブリの正面断面図である。
【図１９Ｂ】図１７で示した前記フィルタ・アセンブリの背面断面図である。
【図２０Ａ】図１７で示した前記フィルタ・アセンブリの底面平面図である。
【図２０Ｂ】図１７で示した前記フィルタ・アセンブリの上面平面図である。
【図２１Ａ】本発明の一実施形態にかかる図１７で示した前記フィルタ・アセンブリの周辺シールの正面平面図である。
【図２１Ｂ】本発明の一実施形態にかかる図１７で示した前記フィルタ・アセンブリのフィルタ・バスケットの正面平面図である。
【図２１Ｃ】本発明の一実施形態にかかる図１７で示した前記フィルタ・アセンブリの払拭シールの正面平面図である。
【図２２Ａ】本発明の一実施形態にかかる図１７で示した前記フィルタ・アセンブリの周辺シールの正面斜視図である。
【図２２Ｂ】本発明の一実施形態にかかる図１７で示した前記フィルタ・アセンブリのフィルタ・バスケットの正面斜視図である。
【図２２Ｃ】本発明の一実施形態にかかる図１７で示した前記フィルタ・アセンブリの払拭シールの正面斜視図である。
【図２３】本発明の一実施形態にかかる図２１Ｃ及び２２Ｃで示した払拭シールの上面平面図である。
【図２４】図１４で示したプレス（キャップを取り外した状態）の前記例示的な実施形態の正面斜視図である。
【図２５】図２４で示した前記プレス（キャップを取り外した状態）の上面平面図である。
【図２６Ａ】本発明にかかるプレスで使用するためのキャップ・アセンブリの例示的な実施形態の側面斜視図である。
【図２６Ｂ】本発明にかかるプレスで使用するためのキャップ・アセンブリの基部の例示的な実施形態の底面斜視図である。
【図２６Ｃ】本発明にかかるプレスで使用するためのキャップ・アセンブリの上部の例示的な実施形態の側面斜視図である。
【図２６Ｄ】本発明にかかるプレスで使用するためのキャップ・アセンブリの例示的な実施形態の上面平面図である。
【図２６Ｅ】本発明にかかるプレスで使用するためのキャップ・アセンブリの例示的な実施形態の正面平面図である。
【図２６Ｆ】本発明にかかるプレスを使用するためのキャップ・アセンブリの上部の例示的な実施形態の上面平面図である。
【図２６Ｇ】本発明にかかるプレスで使用するためのキャップ・アセンブリの上部の例示的な実施形態の正面平面図である。
【図２６Ｈ】図２６Ｇで示した前記視点に垂直かつ反対側（背面）から見た前記キャップ・アセンブリの例示的な実施形態の平面図である。
【図２６Ｉ】図２６Ｅで示した前記視点に垂直かつ反対側（背面）から見た前記キャップ・アセンブリの例示的な実施形態の平面図である。
【図２７Ａ】本発明にかかるプレスで使用するためのフィルタ・アセンブリの別の例示的な実施形態の上面斜視図である。
【図２７Ｂ】図２７Ａで示した前記フィルタ・アセンブリの前記実施形態の底面斜視図である。
【図２７Ｃ】図２７Ａで示した前記フィルタ・アセンブリの前記実施形態の正面図である。
【図２７Ｄ】図２７Ａで示した前記フィルタ・アセンブリの前記実施形態の正面断面図でる。
【図２８Ａ】図２７Ａで示した前記フィルタ・アセンブリの前記実施形態の別の断面図を示す。
【図２８Ｂ】図２７Ａで示した前記フィルタ・アセンブリの前記実施形態の斜視断面図を示す。
【図２９】本発明にかかるプレスの別の例示的な実施形態の断面図である。
【図３０】本発明にかかるプレスの別の例示的な実施形態の断面図である。
【図３１】本発明にかかるプレスの別の例示的な実施形態の断面図である。
【発明を実施するための形態】
【０００７】
図１は、本開示にしたがうプレス１００の例示的な実施形態の正面斜視図である。図２は、前記プレスの正面平面図を示す。特に、前記図示したプレスは、浸出物をコーヒーかすから抽出するのに適している。図示したように、前記プレスは、細長い二重壁円筒形本体を含む。これは、好ましくは、ステンレス鋼又は他の好適な金属から作られている。前記プレスは、着脱可能なキャップ・アセンブリ１１０を含む。これは、以下で更に詳細に論じる。図３で更に図示したように、意匠又は他のロゴ１１２を前記プレスの上に印刷し又はそのなかへ形成し得る。印又は他の意匠を前記プレスの前記底面１２０のなかへ形成してもよい。これは、図４で図示したとおりである。図１３Ａは、前記プレス１００（キャップを取り外した状態）の上面図を示し、図１３Ｂは、側面斜視図を示す。
【０００８】
図１の前記プレス１００の断面図を図５で表す。図示したように、前記プレスの前記下基部１２４は、二重に隔離された金属容器によって形成されている。しかし、理解されるであろうことに、他の材料も使用され得る。ここで開示された前記プレスは、任意の所望の量の流体を保持するよう構成され得る。好ましい実施形態において、前記プレスは、旅行での使用（乗り物のカップ・ホルダのなかで運ばれるなど）に好適である。したがって、前記プレスの前記容器は、好ましくは、約８〜約２４液量オンスの流体を保持するよう構成される。図５から更に明らかなように、前記キャップ１１０の上部１１４を取り外して、プランジャ１３０のハンドル１２５を露出させることができる。これは、今度は、前記デバイスの前記基部１２４のなかで、フィルタ・アセンブリ１３５に取り付けられている。図２６Ｃ，２６Ｆ，２６Ｇ及び２６Ｈは、前記キャップの前記上部１１４の斜視図、上面図、正面平面図及び側面図を表す。上へ向かう同心状の凹みが、前記キャップの前記上部１１４の前記下面のなかに形成されている。その目的は、前記キャップ１１０が設置された状態で前記プランジャ１３０が上へ向けて移動できるようにするためなどである。図１３Ｃ，１３Ｄ及び１３Ｅは、前記キャップ・アセンブリの基部１１６の正面垂直平面図、上面平面図及び正面水平平面図である。図２６Ｂは、前記基部１１６の底面斜視図を示す。図２６Ａ，２６Ｄ，２６Ｅ及び２６Ｉは、上部１１４及び基部１１６が一緒に組み付けられた完全な前記キャップ１１０の図を図示する。例えば図１３Ｃで図示したように、前記キャップ・アセンブリ１１０の前記基部１１６は、円錐形漏斗状の径方向内側部分１４２を含む。これは、前記プレス・プランジャの前記シャフトを受容するための中央オリフィス１４４を有する。前記漏斗１４２は、管部１４５で終端している。これは、前記プランジャ・シャフトを受容するための、そのなかを貫く細長い導管を画定する。周辺開口が、前記キャップの前記基部１１６の環状基部領域１４７を貫いて分布して形成され、これにより、浸出された流体が前記プレスから自由に流れ出し、前記プレスの前記使用者が飲むことができる。前記キャップ１１０の前記基部１１６は、更に上へ向けて延び、円筒形構造を画定する。これにより、前記抽出物を容易に導いて飲めるようにできる。前記使用者が飲まなかった余分な抽出物は、自由に流れて前記容器のなかへ戻ることができる。前記プランジャ・シャフト１３０の上端部は、それに接続された概して丸いハンドル１２５を含む。図５で図示したように、前記プランジャ・ハンドル１２５は、頂部が比較的平らで、周縁部が丸く、下部が環状に凹んで前記シャフトへ向かって先細りになった断面を有する。前記プランジャ・シャフト１３０は、前記ハンドルにねじ留めされてもよく、他の方法で取り付けられてもよく、好ましくは、着脱可能に取り付けられてもよい。前記キャップ１１６の前記基部は、前記下容器に着脱可能に取り付けられる。
【０００９】
前記プランジャ・シャフト１３０の下部は、フィルタ・アセンブリ１３５に取り付けられている。これは、図６〜１０、１１Ａ〜１１Ｃ及び１２Ａ〜１２Ｃで様々な視点で図示したとおりである。開示された前記フィルタ・アセンブリ１３５は、二つの丸い同心状の着脱可能なバスケット１５２，１５４を含む。これは、内部及び外部フィルタを形成し、好ましくは、前記外部の一次フィルタ上に比較的粗いメッシュを有し、前記内部の二次フィルタ上に比較的細かいメッシュを有する。前記二つのフィルタ・バスケット１５２，１５４は、好ましくは、締まり嵌め（例えば、僅かに緩く又は部分的に干渉した中間嵌め）によって補完されたツイストロック接続部を介して互いに組み付けられている。これは、前記構成要素の間に介在するＯリングや他のシールを任意に有し、流密封止を形成してもよい。有利なことに、比較的きつい嵌合を伴うツイストロック接続部を使用してもよく、Ｏリングの必要がなくなる。周辺二重シール１５６が、前記内部フィルタ・バスケットの前記頂部の周りに配置され、前記プレスの前記下容器部１２４の内表面と結合する。
【００１０】
プレス２００の第二実施形態の斜視図を図１４で図示し、正面図を図１５で示し、断面図を図１６で示す。前記プレス２００の前記キャップ部分を取り外した状態の上面斜視図を図２４で示し、対応する上面図を図２５で示す。この第二実施形態２００は、コーヒー、イェルバ・マテなど他の飲料と同様、茶を作るために有利である。前記外容器２０２、上キャップ部２１４及び下キャップ部２１６、プランジャ・ハンドル２２５並びにプランジャ・シャフト２３０は、前記第一実施形態と同じである。しかしながら、前記フィルタ・バスケット２３５の前記構造は、上述した前記第一実施形態の前記フィルタ・アセンブリから顕著に異なる。前記プランジャ２３０及びフィルタ・アセンブリ２３５を図１７〜２３で表す。前記第一実施形態と同じ二重円周シール２５６が存在している。しかしながら、すぐに気づき得る相違点は、フィルタ・バスケット２５２が一つだけ存在し、一つのフィルタが前記フィルタ・バスケットの前記壁に形成されている点である。前記フィルタ・バスケット２５２は、８０〜６００メッシュを含んでもよく、前記不溶性材料と前記抽出物との間にバッファを設けてもよい。第二フィルタ要素の代わりに、区分された環状の払拭シール２５８が設けられ、前記フィルタ２３５が前記容器の前記底へ向けて進むとき、前記容器の前記側面に沿って払拭する。これは、楔状の径方向刻み目（例えば２６２）がその周辺のなかへ形成された環状部材２６０からなる。本出願人は、このような払拭構造が、茶葉を前記容器の前記底へ向けて運ぶのに効果的であることを発見した。これにより、前記払拭シール２５８の上方にある一つの主フィルタを使用して、前記抽出物を濾過することができる。前記下シールのなかの前記切れ目２６２は、第一フィルタのように働いて、前記第二フィルタ２５２にかかる負荷を減らし、これにより、前記第二フィルタにおける必要な面積が減り、かつ／又は、より純粋なコーヒー又は茶のための、より細かい二次フィルタを使用することができる。前記下シール２６２における前記切れ目は、前記容器の前記内壁と協働し、前記容器径が大きい前記頂部で開いたままとなることにより、抽出物（及び非常に少ない量の前記葉）を通過させ、前記容器径がより小さい前記底で閉じることにより、抽出物が前記茶葉に達して前記茶を抽出し続ける（抽出し過ぎ）のを防止する。前記切抜きの前記形状は、縁が直線の角状でもよいし、前記容器の前記底で、前記リップが上へ向けて曲がり、前記スロットを閉じるよう、前記上面から見てわずかに曲がっていてもよい。
【００１１】
前記プランジャ２３０が押下されたとき、前記払拭シール２５８が前記容器の前記底へ向かって進むにつれて、前記払拭シール２５８の前記環状周辺における前記楔状鋸歯が、前記容器（又は前記シールが前記容器の下部分のなかへ進むにつれて、前記払拭シール）の前記径の減少により近寄る。図２７Ａ〜Ｄ及び２８Ａ〜Ｂは、前記フィルタ・アセンブリのこの実施形態を表す。特に重要なのは、図２７Ｂで明らかにされたように、複数の弧状周辺隆起２６４が、前記フィルタ・バスケットの前記底に設けられている点である。これにより、前記フィルタ・バスケットを平らなままにできるだけでなく、前記容器の前記底における茶葉を挟んで沈めるのを助け、前記不溶性材料から前記抽出物のなかへ流体が遷移するのを防止する。図２８Ａの断面図で示したように、前記プレス２００の前記内壁２０２は、前記底へ向けて、内側に向かって傾斜していてもよい。これにより、それ前記フィルタ・アセンブリ２３５が底へ向かって移動するにつれ、前記底シール２５８が上に曲がり、前記シールの前記スロット２６２を閉じる。
【００１２】
この挟み込み、並びに／又は、前記払拭シール及び／若しくは前記払拭シール２５８のなかの前記スロットの前記閉鎖は、前記プレスが茶葉から風味を抽出したのち、浸出された液体から前記茶葉を機械的に隔離するように働く。例えば、前記デバイスを使用して、所望の茶葉（一種類の茶であろうとブレンドであろうと）を前記容器のなかに置き、湯を加えることにより、茶を淹れる。前記茶葉が浸るための所定の時間待ったのち、前記フィルタ・バスケット２５２、プランジャ２３０及び前記キャップ２１６の基部を、（図１６に示したように）前記下容器２０２に取り付ける。前記フィルタ・バスケット２５２は、そのとき、不溶性材料と浸出された液体との混合物を貫いて進み、浸出された液体が後ろに残る。前記茶葉は、そのとき、前記フィルタ・バスケット２５２及び払拭シール２５８によって前記底へ向かって移動する。使用済の前記茶葉を機械的に隔離することにより、そのとき、残留した前記茶葉が有する（前記プレスが乗り物のなかに数時間置かれる場合など）時間とともに前記浸出物の味を変える効果を最小化する。このように、本開示は、重要なことに、使用済の茶葉から浸出された液体を分離するためのシステム及び方法を提供する。
【００１３】
しかしながら、理解されるであろうことに、様々な代替的実施形態が本開示にしたがって実施され得る。例えば、図２９及び３０は、プランジャ３３０を含むフィルタ・アセンブリ３３５の代替的実施形態を図示する。前記払拭シール３１０は、鋸歯状でなく、かつ、刻み目を含まない。この実施形態の目的は、前記容器の前記上部において液体を容易に通し、その後、前記底でしっかりと閉じることである。図３０で図示したように、小さな貫通穴３５５を前記シール又は前記フィルタ・バスケット３５２において使用し、空気が前記フィルタの下方の容積のなかへ入れるようにして、前記フィルタが、前記容器の前記底に「張り付く」ことなく、前記容器から取り外せるようにし得る。前記払拭シール３１０の材料及び厚さは、より柔軟な材料であり、前記プレスの前記壁に対して押圧し、実質的に漏れのない状態を保つように選択され得る。図３１は、底を丸面取りしたプレス４００（ガラスから作られたものなど）の追加的実施形態を図示する。プランジャ４３０に取り付けられたフィルタ構造４３５は、上ディスク部４４０を含み、払拭シール４４２がその周辺（刻み目付き又は無し）の周りにあり、濾過材４４４が前記ディスクのなかに形成されている。Ｏリング４５０又は他の環状部材が、前記フィルタ・アセンブリに取り付けられ、前記容器の前記基部の丸面取りに接触し、前記容器の前記底において前記フィルタ構造の底面４４８と前記プレスの内部の上へ向いた面との間に茶葉を捕捉する。この実施形態６００のさらなる変形を図３３で表す。標準的なフレンチ・プレス・フィルタ６２０を、上ディスク部の代わりに使用してもよい。
【００１４】
図３２は、第二実施形態と同様だが以下の修正を有する代替的実施形態５００を表す。前記二重シールを下フィルタ・バスケット５１５に移動している一方、前記払拭シール５２０を前記二重シールの上方にある上位置に移動している。前記濾過材は、単一フィルタ、又は望むなら、二重フィルタであってもよく、前記フィルタ構造５３５の水平表面及び／又は垂直表面の上に位置してもよい。
【００１５】
ここで記述した例示的な実施形態は、網羅的であることを意図するものではないし、開示された正確な形態に本発明の範囲を限定することを意図するものでもない。それらは、本発明の原理並びにその応用及び実際的用途を説明し、当業者がその教示を理解できるように、選択され記述されている。
【００１６】
前述の開示に照らして当業者に明らかなように、この発明の実施において、その趣旨又は範囲から逸脱すること無く、多くの変更及び修正が可能である。したがって、本発明の範囲は、以下の特許請求の範囲により定義される内容にしたがって解釈されるものである。
【図１】
0006772135.tif 000002
【図２】
0006772135.tif 000003
【図３】
0006772135.tif 000004
【図４】
0006772135.tif 000005
【図５】
0006772135.tif 000006
【図６】
0006772135.tif 000007
【図７】
0006772135.tif 000008
【図８】
0006772135.tif 000009
【図９】
0006772135.tif 000010
【図１０】
0006772135.tif 000011
【図１１Ａ】
0006772135.tif 000012
【図１１Ｂ】
0006772135.tif 000013
【図１１Ｃ】
0006772135.tif 000014
【図１２Ａ】
0006772135.tif 000015
【図１２Ｂ】
0006772135.tif 000016
【図１２Ｃ】
0006772135.tif 000017
【図１３Ａ】
0006772135.tif 000018
【図１３Ｂ】
0006772135.tif 000019
【図１４】
0006772135.tif 000020
【図１５】
0006772135.tif 000021
【図１６】
0006772135.tif 000022
【図１７】
0006772135.tif 000023
【図１８Ａ】
0006772135.tif 000024
【図１８Ｂ】
0006772135.tif 000025
【図１９Ａ】
0006772135.tif 000026
【図１９Ｂ】
0006772135.tif 000027
【図２０Ａ】
0006772135.tif 000028
【図２０Ｂ】
0006772135.tif 000029
【図２１Ａ】
0006772135.tif 000030
【図２１Ｂ】
0006772135.tif 000031
【図２１Ｃ】
0006772135.tif 000032
【図２２Ａ】
0006772135.tif 000033
【図２２Ｂ】
0006772135.tif 000034
【図２２Ｃ】
0006772135.tif 000035
【図２３】
0006772135.tif 000036
【図２４】
0006772135.tif 000037
【図２５】
0006772135.tif 000038
【図２６Ａ】
0006772135.tif 000039
【図２６Ｂ】
0006772135.tif 000040
【図２６Ｃ】
0006772135.tif 000041
【図２６Ｄ】
0006772135.tif 000042
【図２６Ｅ】
0006772135.tif 000043
【図２６Ｆ】
0006772135.tif 000044
【図２６Ｇ】
0006772135.tif 000045
【図２６Ｈ】
0006772135.tif 000046
【図２６Ｉ】
0006772135.tif 000047
【図２７Ａ】
0006772135.tif 000048
【図２７Ｂ】
0006772135.tif 000049
【図２７Ｃ】
0006772135.tif 000050
【図２７Ｄ】
0006772135.tif 000051
【図２８Ａ】
0006772135.tif 000052
【図２８Ｂ】
0006772135.tif 000053
【図２９】
0006772135.tif 000054
【図３０】
0006772135.tif 000055
【図３１】
0006772135.tif 000056
【図３２】
0006772135.tif 000057
【図３３】
0006772135.tif 000058